(57)【特許請求の範囲】
【請求項１】
光導波路（１１；３１；４３）と、放射光を該光導波路に入力結合する光源（１２；３２，３３；４１）と、相互に結合される複数の部分外壁から形成される殻状の保持部（１０；２０，２１；２２，２３；３０，３５，３８；４０，４２）とを有しており、
前記部分外壁は光導波路を、少なくとも光が偏向されるべき領域において取り囲み、
当該部分外壁の内面壁は反射器（１６）として構成されており、前記反射器（１６）は上部の反射器面（１６ａ）と下部の反射器面（１６ｂ）によって構成されており、当該下部の反射器面（１６ｂ）は、前記光導波路（１１；４３）に関して凸状に形成されている、ことを特徴とする照明装置。
【請求項２】
少なくとも一つの部分外壁は一つの光出射開口部（１３）を有することを特徴とする、請求項１記載の照明装置。
【請求項３】
光ホルダー用の保持部は２つの部分外壁（２０，２１；２２，２３；４０，４２）から形成されていることを特徴とする、請求項１または２記載の照明装置。
【請求項４】
部分外壁は垂直または水平の境界縁部および／またはオーバラップしている折り合わせ部分を有していることを特徴とする、請求項１から３までのいずれか１項記載の照明装置。
【請求項５】
部分外壁（２０，２１）は光導波路に対しほぼ中央で当接し、実質的に対称に構成されていることを特徴とする、請求項１から４までのいずれか１項記載の照明装置。
【請求項６】
部分外壁（４０，４２）は基部（４０）と覆い（４２）とを有していることを特徴とする、請求項１から４までのいずれか１項記載の照明装置。
【請求項７】
光導波路と、保持部の部分外壁とは鋳造部として形成され、互いに調整され、
それにより光の損失および／または明るい平面領域（ホットスポット）が最小限になることを特徴とする、請求項１から６までのいずれか１項記載の照明装置。
【請求項８】
部分外壁は、取り外しが可能な構成要素（２５，２６；２７，２８）によって、相互に結合可能であることを特徴とする、請求項１から７までのいずれか１項記載の照明装置。
【請求項９】
光源は発光ダイオード（ＬＥＤ）またはレーザーダイオードであり、
該光源の上方に光導波路用の保持部が配置され、
前記光源は放射光を光導波路に直接的に入力結合することを特徴とする、請求項１から８までのいずれか１項記載の照明装置。
【請求項１０】
複数の光源（４１ａ，４１ｂ，４１ｃ；１２ａ，１２ｂ）が設けられていることを特徴とする、請求項１から９までのいずれか１項記載の照明装置。
【請求項１１】
保持部（３０，３５，３８）は、垂直（１２；３２；４２）および／または水平（３３）に放射する光源を収容することができるように構成されていることを特徴とする、請求項１から１０までのいずれか１項記載の照明装置。
【請求項１２】
前記光導波路（１１；４３）および保持部（１０；２０，２１；２２，２３；４０、４２）は橋状の形状で形成されている、請求項１から１１までのいずれか１項記載の照明装置。
【請求項１３】
光導波路（１１；３１；４３）をまず部分外壁（２０；２２；４０）に取り付け、その後別の部分外壁（２１；２３；４２）により覆うことを特徴とする、請求項１から１２までのいずれか１項記載の照明装置の製造方法。
【請求項１４】
光導波路と部分外壁とを射出成型部分として製造することを特徴とする、請求項１３記載の方法。
【請求項１５】
はめ込まれた光導波路を有する保持部を、基板（１４；３４；４５）に結合し、
前記保持部は、基板上の線路を介して供電される光源の上方に設置されることを特徴とする、請求項１３または１４記載の方法。
【請求項１６】
まず、光導波路用の保持部の下部（４０）を基板（４５）と、光源（４２）の上方で結合し、
その後に光導波路（４３）を前記下部（４０）に導入し、
引き続き、前記下部と光導波路の上に覆い（４０）を載置し、下部（４０）と結合することを特徴とする、請求項１３または１４記載の方法。
【発明の詳細な説明】
【０００１】
本発明は、照明装置に関する。この照明装置は光導波路、放射光を光導波路に入力結合する光源、光導波路用の保持部を有する。
【０００２】
この種の装置では、しばしば光源として発光ダイオードまたはレーザーダイオードが使用される。このような装置は、一般照明または液晶表示装置（ＬＣＤ）のための後方照明において使用される。その際に光導波路は、光源から放射された光を案内する機能を担う。放射された光は、光導波路の端部またはそのために設けられた窓において、光導波路から出力結合される。光導波路の表面はこのために窓領域においては、例えばネップや溝またはその他のけば立ちにより構造化されている。それは光の出射を均等にするためである。光導波路は透明な材料、例えばエポキシ樹脂またはポリメタクリル酸メチル（ＰＭＭＡ）から成る。光を案内する際、および光導波路において不可避的に方向転換をする際に、一方ではできるだけ最小限の光しか損失してはならない。また他方では、廉価な製造、実際的で簡易な取り付けが可能でなければならない。
【０００３】
図５に示された実施例では発光ダイオード５０は、その光を保持部５２ａ，５２ｂに差し込まれている光導波路５１に入力結合する。保持部５２と発光ダイオード５０は基板上にプリントされた回路５３（ＰＣＢ）に取り付けられている。光ダイオード５０から放たれた光の偏向は光導波路の傾斜部５４において全反射によって生じる。製造技術上の理由から、とりわけ取り付けを容易にする為に、傾斜部５４は反射性材料で覆われていない。光が有利には４５°に角付けられた傾斜部５４で偏向する際に、必然的に光は光導波路から出射する。この光は使用目的に対し失われてしまう。なぜなら、光導波路においてそれ以上、案内されないからである。他方、保持部５２ａおよび５２ｂは同時に反射器として使用され、その面において光が光導波路から漏出するのを防ぐ。光導波路の表面をＢ方向から観察する際、例えば、光導波路をＬＣＤの後方照明として構成する場合、境界面５４における光の偏向と光源の直接光線により光導波路表面に他より明るい領域が生じる（ホットスポット）。このホットスポットは明るい平面領域であり、このホットスポットは、光出射窓に現れ、光出射窓内の光導波路の表面形状によって修正され得ない。傾斜部５４用に特別な反射器を射出成型部分として製造することは、大量生産では非常に面倒である。なぜならば全体として、かなりコストがかかるからである。
【０００４】
本発明の課題は、冒頭で述べられた形式の照明装置及びその製造方法においてコストの面での改善が得られるように構成することである。
【０００５】
特許請求項１と１４の特徴を有する本発明によって、これらの課題が解決される。本発明の実施形態は従属請求項に記載されている。
【０００６】
本発明を次に実施例に基づいて説明する。これらの実施例は図によって示されている。図は以下の通りである。
【０００７】
図１は本発明の照明装置の図式的な断面図である。
【０００８】
図２は光導波路用の保持部の側面図である。
【０００９】
図３は本発明の特別な実施例の図式的な断面図である。
【００１０】
図４は本発明の実施例のさらに部分的な斜視図である。
【００１１】
図５はこれまで使用されてきた照明装置の図式的な断面図である。
【００１２】
図１は照明装置１の断面図を示している。この装置は光導波路１１用の保持部１０を有しており、この光導波路に１つまたは複数の光源１２ａ，１２ｂが光を供給する。光源１２は有利には発光ダイオード（ＬＥＤ）またはレーザーダイオードである。しかしながら、別の光源、例えば白熱電球も可能である。この光源１２と保持部１０は基板１４上にプリントされた回路と共に取り付けられている。保持部１０は光導波路１１を、光が方向転換し案内されなければならない領域において殻状に取り囲んでいる。その際、光導波路をこの殻に収容し、取り付けることができるように保持部１０は複数の部分外壁から形成される。図１の例で保持部１０はその上側に窓１３を有しており、この窓を通して、観察者Ｂによる光導波路の観察、または光の出力結合が可能である。保持部１０における窓１３は、照明装置が液晶表示装置用の後方照明の構成要素として利用され得る様に構成されている。
【００１３】
図１では、光導波路１１用の保持部１０は同時に、反射器面１６ａ，１６ｂを有する反射器の主な機能を担う。この反射器の助けによって、光線を方向転換させることができ、しかも大きな光の損失が生じることもない。偏向角はそれ自体任意であるが、しかしながらここでは９０°である。技術的要求と条件に応じて、保持部１０を有する光導波路１１は次の様に構築される。すなわち、光学的損失、またはホットスポットが最小になるように構築される。保持部１０は光の偏向領域と窓領域１０において、光が拡散して窓１３を通して出射することができるように成形される。反射器面１６ａを多重に角付けたり、丸みをおびさせることもできる。下部の反射器面１６ｂは、光導波路に関して凸型に形成、ないしは上方に広げられている。それにより、光が一個所で集中して出射できないようになっている。光導波路１１も保持部１０も射出成型部分として製造され得る。光導波路としては透明な材料、例えばＰＭＭＡが使用される。保持部１０は典型的には非透過性であり、その内部表面は反射性である。それは光導波路の偏向個所で出射した光を光導波路内にはね返す為である。
【００１４】
本発明によれば、保持部１０は殻状に形成され、少なくとも２つの部分外壁を有している。図２は、図１の装置をＡ方向から見た側面図である。図２ａ）によると、光導波路用の保持部１０は２つの部分外壁２０と２１を有している。これらの部分外壁は中央線に対してほぼ対称に形成されている。光の伝播方向において光導波路はほぼ矩形の断面を有する。取り付けの際に光導波路はまず、２つの部分外壁２０，２１の一方に側方から導入され、その後他方の半外壁２１ないし２０により、未だ保護されていない領域が取り囲まれる。
【００１５】
２つの半外壁２０と２１はスナップ装置２５，２６によって結合される。この際に一方の半外壁２１に固定された折り返し２５の開放部が他方の半外壁２０に固定された突起部に押し込まれる。しかしながら、２つの半外壁は、別の形でも結合することが可能であり、この結合は双方の半外壁が光導波路を取り囲むことを保証すればよい。スナップ装置２５，２６のように取り外しが可能な結合の他に、例えば接着剤を使用した固定的結合も考えられる。２つの半外壁２０と２１の境界縁部で材料の公差または老化特性によって生じる亀裂により、光が出力結合をされてしまうのを阻止するために、双方の部分外壁２０と２１を、その境界縁部で折り合わせることが可能である。その結果、部分外壁が折り合わせ部分でオーバラップし、光学的に不透明になる。
【００１６】
図２ｂは２つの部分外壁に対する別の装置を示している。ここでは、光導波路を光の伝播領域において取り囲むために、光導波路はまず側方から部分外壁２２内に導入される。ここでこの部分外壁２２は光導波路を取り囲み、従って覆い２３だけを側面からかぶせれば良い。この実施例では部分外壁２２と２３の結合は複数のスナップ装置２７、２８によって行われる。部分外壁２２上には盛り上がった突起が配置され、この突起へ折り返し２８の開放部が係合することができる。この装置の利点は保持装置が着脱しやすい点にある。むろん、図２ａの実施例のように、部分外壁２２と２３に折り合わせ部分を設けることも可能である。その結果、境界面で光が出射しないようにすることができる。
【００１７】
図１の装置では光が一つの光源１２のみから供給されることも可能である。しかし有利には、複数の光源１２ａ、１２ｂが設けられる。これらの光源は、図１のように、光りを両側から光導波路に供給する。さらにまた、図平面に対して垂直に、さらなる光源を配置することも可能である。それにより、窓１３から大きい光強度を観察することが可能になる。図１の装置では、出力結合すべき光ないしは観察窓１３を光源１２から離れて配置することも可能である。光導波路１１ないしは外壁保持部１０は射出成型部材としての製造により非常に廉価にできる。その際、同時に光導波路と反射器の形で形成された外壁保持部の形状により光の案内を次の様に最適に行う。すなわち、最大限の光を照明目的に利用できるように最適に行う。橋状の構造により、スペースを非常に有効に使った装置を製造することができる。なぜなら、保持部１０の下方の自由空間に、基板１４に向かって、さらなる構成素子を基板上に配置することができるからである。
【００１８】
図３は本発明の別の実施例の部分的な断面図を示している。この実施例では、光導波路３１用の殻状の保持部３０が設けられている。この場合、保持部はその側面３８を以て面状に基板３４上に取り付けられている。図１との相違は、この装置は上方に向けて放射している発光ダイオード３２だけではなく、この発光ダイオードから分離壁３５によって隔離された小部屋３６も有することである。この小部屋の中に側面からエッジを介して放射する発光ダイオードまたはレーザーダイオード３３が配置されている。この構造では図１に示したような橋構成は設けられていない。図３の装置の利点は以下の点にある。光導波路に入力結合される光出力を図１における装置より大幅に高くできることである。また、ここでは保持部３０の内部表面３７も反射器と利用できる。
【００１９】
図４は部分的にさらに別の本発明の実施例を斜視図に示している。この実施例では保持部の部分外壁が図２に示したように垂直にではなく、水平に分けられている。このような実施形態では光導波路４３は上方から下方の部分外壁４０に差し込まれ、引き続き上部の部分外壁４２により覆われる。下部の部分外壁はプリントされた基板４５上に取り付けられる。この上部の部分外壁は図２に基づき説明したように下部の部分外壁と結合することができる。実施例では、光導波路の各基板側に３つの発光ダイオード４１ａ〜４１ｃが設けられている。しかしながらより多数の、またはより少数の個別光源も可能である。
【００２０】
さらには、光導波路と付属の部分外壁の製造に関する多数の手段があり、それらの手段は光の入力結合と出力結合の為のほぼ任意のバリエーションを可能にする。それは、光導波路が出力結合または入力結合領域まで殻状の保持部に実質的に完全に覆われ、その際に保持部の内部の上部表面が反射器面として利用されるからである。
【図面の簡単な説明】
【図１】  本発明の照明装置の図式的な断面図である。
【図２】  光導波路用の保持部の側面図である。
【図３】  本発明の特別な実施例の図式的な断面図である。
【図４】  本発明の実施例のさらに部分的な斜視図である。
【図５】  これまで使用されてきた照明装置の図式的な断面図である。
【図１】
0004782965.tif 000002
【図２】
0004782965.tif 000003
【図３】
0004782965.tif 000004
【図４】
0004782965.tif 000005
【図５】
0004782965.tif 000006